(57)【要約】スキンプリッカに関する改良。スキンプリッカはランセット（５）のハウジング（１）を有し、前記ランセットが後方コック位置から解放されるときに、バネにより瞬時に前方へ推進して針の尖端（３）を突出させる。前方運動時に、前記ハウジング（１）内のペグ（１２）が前記ランセット内のスロット（１０）に沿って通過し、かつ尖端（３）が突出する直前にスロット（１０）内の後端でネック（１１）に係止する。そこでランセット（５）が押し戻される場合に、ペグ（１２）はスロット（１０）へ再侵入できず、代わってランセット（５）を横へ楔止めし、かつ再コックされる前に、ランセット（５）を当接部（１３）の背後に拘束し、尖端（３）の再露出を確実に阻止する。装置（１８，２１）が設けられてよく、それによりランセット（５）が尖端（３）用のキャップ（４）により前方へ時期尚早に引っ張られないようにし、かつそれによりスキンプリッカがコックされかつ発射される前にペグ（１２）のスロット（１０）からの脱出を可能にする。
2004518498.tif 000002
【特許請求の範囲】
【請求項１】
細長いハウジング、前記ハウジング内のランセット、前記ハウジングの前方端に向けて付勢されたバネ、前記前方端の孔へ針の尖端を瞬時に突出させるためにコックされた後方位置から発射通路に沿って前記ランセットを解放するための手段、および瞬時の突出後に前記針の尖端の再露出を阻止するための阻止手段を含むスキンプリッカにおいて、前記阻止手段は、前記ランセット内の長手チャンネルと初期に共働する突起を前記ハウジングの内部に有し、前記チャンネルは、再コックが試みられて前記ランセットが前記発射通路と不整列になる場合に前記突起と前記ランセットとの共働に続いて前記ランセットの尖端が露出しようとするときに、前記チャンネルから前記突起を脱出させるための非復帰後端を有することを特徴とする、スキンプリッカ。
【請求項２】
前記チャンネルは前記ランセットの主本体と前記主本体に担持されかつ前記主本体に沿って後方へ延びたバネフィンガとの間のギャップにより形成され、前記バネフィンガの後端は前記主本体に向けて収斂して前記突起がスナップ式に係止するネックを形成していることを特徴とする、請求項１に記載のスキンプリッカ。
【請求項３】
前記主本体の両側に各一つのフィンガが対称的に設置され、前記フィンガの一方は前記突起と共働し、かつ他方のフィンガは予備であることを特徴とする、請求項２に記載のスキンプリッカ。
【請求項４】
前記ハウジングの内部は、不整列ときに前記ランセットが係合する当接部を有することを特徴とする、請求項１から３のいずれか１に記載のスキンプリッカ。
【請求項５】
前記突起は前記ランセット上にあり、かつ前記チャンネルは前記ハウジング内にあり、かつ前記非復帰後端は前記チャンネルの前方端であることを特徴とする、請求項１から４のいずれか１に記載のスキンプリッカ。
【請求項６】
取外可能キャップは、初期に前記ランセットの尖端を覆いかつ前記孔へ延在し、かつ前記ランセットを前記発射通路に沿って前記ハウジング内でその針と共に組立てられた位置からコック位置へ押し戻す手段として作用することを特徴とする、請求項１から５のいずれか１に記載のスキンプリッカ。
【請求項７】
トリガは、前記ハウジングによって前記ランセットと二つの係合モードで担持され、その第一モードにおいて前記組立位置からの前記ランセットの所定の前方運動を拘束するが前記ランセットの押し戻しを可能にし、かつ第二モードにおいて前記トリガの作動が前記ランセットを解放するまでコック位置に前記ランセットを保持することを特徴とする、請求項１から６のいずれか１に記載のスキンプリッカ。
【請求項８】
前記ランセットは前記トリガとラチェット式に係合する係合部を有し、前記係合部は前記コック位置に達するときに前記トリガ上の歯にスナップ係止することを特徴とする、請求項７に記載のスキンプリッカ。
【請求項９】
前記歯は前記第一モードの拘束部材として作用し、前記ランセット上の突起と共働して前記ランセットの前方運動を停止させるが、前記トリガが作動して前記ランセットを発射させるときに前記ランセットから上昇して前記ランセットの前方運動時に前記突起を妨害しないようにすることを特徴とする、請求項８に記載のスキンプリッカ。
【発明の詳細な説明】
【０００１】
本発明はスキンプリッカに関する。本発明は、ランセットがそのハウジング内でコック位置へ押し戻されて圧縮バネに保持されるタイプのスキンプリッカに関する。ランセットが解放されるときに針の尖端が瞬時に突出し、かつランセットの反動が針の尖端をハウジングへ撤退させる。一回使用の装置であって使用後に廃棄されるように、ランセットが再度発射するのを阻止するための装置が設けられている。
【０００２】
本発明の課題は、再使用を阻止する構造を単純化することにある。
【０００３】
本発明によれば、スキンプリッカは、細長いハウジング、前記ハウジング内のランセット、前記ハウジングの前方端に向けて付勢されたバネ、前記前方端の孔へ針の尖端を瞬時に突出させるためにコックされた後方位置から発射通路に沿って前記ランセットを解放するための手段、および瞬時の突出後に前記針の尖端の再露出を阻止するための阻止手段を含み、前記阻止手段は、前記ランセット内の長手チャンネルと初期に共働する突起を前記ハウジングの内部に有し、前記チャンネルは、再コックが試みられて前記ランセットが前記発射通路と不整列になる場合に前記突起と前記ランセットとの共働に続いて前記ランセットの尖端が露出しようとするときに、前記チャンネルから前記突起を脱出させるための非復帰後端を有することを特徴とする。
【０００４】
至便には、前記チャンネルは前記ランセットの主本体と前記主本体に担持されかつ前記主本体に沿って後方へ延びたバネフィンガとの間のギャップにより形成され、前記バネフィンガの後端は前記主本体に向けて収斂して前記突起がスナップ式に係止するネックを形成している。
【０００５】
好適には、前記主本体の両側に各一つのフィンガが対称的に設置され、前記フィンガの一方は前記突起と共働し、かつ他方のフィンガは予備である。
【０００６】
前記ハウジングの内部は、不整列ときに前記ランセットが係合する当接部を有する。前記ランセットが発射後にコック位置へ押し戻される場合に、前記フィンガの外側に作用する突起は前記ランセットを横側へ付勢し、かつ前記ランセットは、再コックされるが、再発射されれば前記当接部によって阻止される。
【０００７】
前記装置は反転でき、前記突起を前記ランセット上に、前記チャンネルを前記ハウジング内に、非復帰後端を前記チャンネルの前方端に構成できる。
【０００８】
好適には、取外可能キャップは、初期に前記ランセットの尖端を覆いかつ前記孔へ延びている。前記キャップは前記ランセットを前記発射通路に沿って前記ハウジング内でその針と共に組立てられた位置からコック位置へ押し戻す手段として作用する。
【０００９】
他の望ましい特徴は、前記ハウジングによって前記ランセットと二つの係合モードで担持されトリガを有することである。前記トリガは、その第一モードにおいて前記組立位置からの前記ランセットの所定の前方運動を拘束するが前記ランセットの押し戻しを可能にし、かつ第二モードにおいて前記トリガの作動が前記ランセットを解放するまでコック位置に前記ランセットを保持する。
【００１０】
至便には、前記ランセットは前記トリガとラチェット式に係合する係合部を有し、前記係合部は前記コック位置に達するときに前記トリガ上の歯にスナップ係止する。前記歯は前記第一モードの拘束部材として作用し、前記ランセット上の突起と共働して前記ランセットの前方運動を停止させるが、前記トリガが作動して前記ランセットを発射させるときに前記ランセットから上昇して前記ランセットの前方運動時に前記突起を妨害しないようにする。
【００１１】
以下、理解を容易にするために、添付図面を参照して例示として本発明の一実施形態について説明する。
【００１２】
図１から４のスキンプリッカのハウジング半割部１は、細長い矩形の開放上部を有する浅い箱であり、このハウジングは図示されていない半割部を図示された半割部上に被せることにより完全体になる。一端に半円形凹部２が設けられ、この凹部は図示されていないハウジング半割部の対応する半円形凹部に合致させることによりランセットの針の尖端３が瞬時に突出する孔を形成する。当初、針の尖端３は、ハウジング１内を長手方向に移動するランセット本体５と一体成形された針のキャップ４により覆われている。
【００１３】
本体５は細長いＴ形ブロックであり、クロス部６は前方端にあり、かつステム７は針の殆どを収納している。ステム７に並んで各側にクロス部６の後コーナから後方へ延びて内方へ傾斜し先端９で終端するフィンガ８が設けられている。各フィンガ８は後端のネック１１で狭くなるスロット１０を形成している。
【００１４】
ハウジング半割部１の内部は長手中心線の一側でオフセットして位置決めされた起立ペグ１２を有し、ランセットが挿入されるときにペグ１２が後端近くでスロット１０の一つに侵入するように構成されている。クロス部６は、コックかつ発射時にランセットを案内するハウジングの狭い部内に位置する。この段階で、未だキャップ４内にある針の尖端３はハウジング内にある。狭い部が終端するハウジング半割部１の他側で、ハウジング半割部１の壁はペグ１２の前方に切欠きショルダ１３を有する。
【００１５】
完全なハウジングを伴って、スキンプリッカが使用される場合、ランセットはキャップ４を使用して押し戻される。スキンプリッカはトリガ機構（図示せず）により図２のコック位置に捕捉される。ハウジングの後端とステム７の自由端との間でバネ（図示せず）が作用して完全に圧縮されると、ペグ１２はスロット１０の前方端へ向かう。
【００１６】
解放されると、ランセットは組立位置を越えて前方へ発射する。フィンガの先端９がペグ１２に達すると、ペグ１２は関連するネック１１へスナップ係止し、かつ図３の位置が達成されて針の尖端３が突出する。
【００１７】
ランセットは、針の尖端３がハウジングの直ぐ内側になる安全位置へ跳ね返るが、ペグ１２により拘束されてフィンガの先端９の傾斜外面に当接し、関連するフィンガ８をステム７に向けて楔止めする。自明なように、ランセットはその位置において再コックできない。しかし、ランセットは、押し戻されるときに再コックされることができ、ペグ１２がフィンガ８の外側で作用してランセットを他側へ向けて押す。フィンガ８はかなり剛性であり、かつペグ１２がその根元に接近するときにフィンガ８はどんどん撓んでランセット上に圧力を加える。そのようにして、クロス部６が、一旦、ショルダ１３を通過すると、ランセットは横へ逸れてクロス部６のコーナがショルダ１３の背後に運ばれて突然係止し、他方、フィンガ８は図４に示されたように、真っ直ぐに延びる。ランセットはそこで再コックされるが、再発射されてもショルダ１３を通過しない。
【００１８】
このようにして、スキンプリッカの再使用が防止される。
【００１９】
図５は開放状態の完全スキンプリッカを示し、ランセットは図２の位置にあり、そのキャップは未だ所定位置にある。図１から４の部材と同等部材には同様参照番号が使用されている。
【００２０】
図５において、対応する相補的半割部１４は半割部１と基本的に相違し、参照番号１５で示されたトリガ機構を有する。このトリガ機構はロッカ（ｒｏｃｋｅｒ）タイプであり、後部に半割部１４から僅かに傾斜して隆起した長手アーム１７を担持し、かつ前部に内方へ鉤状に湾曲したフック部１８を担持した中間横ウエブ１６を有する。フック部１８は、ランセットがコック位置に押し戻されるときにクロス部６に一体成形された歯１９に係止し歯を捕捉する。歯１９はアーム８が二重であると同一理由からクロス部６の他側で二重であり、他方、バネ（図示されていない）はランセット本体５の後端でノブ２０に設置される。図示されたランセットのコック位置において、長手アーム１７は押圧されて半割部４に接触し、ウエブ１６を捩じるときに、ランセットは解放されかつ前方へ突進する。
【００２１】
ランセット本体のステム７は二つの対峙スタッド２１を長手の略中間に有し、スタッド２１の一方は前記トリガに向かって突出し、他方はランセットが他の方法で取り付けられる場合にスペアとなる。当初、スタッド２１は瞬時にトリガのフック部１８の背後になり、かつそのようにして使用者がキャップ４を押すのではなく引く場合に、ランセットは相当の間隔を前方へ移動するが、ペグ１２を関連する共働ネック１１へ撤退させるほど遠くではない。そのようになった場合に、ランセットを適正に発射させることは不可能であろう。そのようにして、スタッド２１は、装置の時期尚早の不作動に対する安全手段となる。
【００２２】
スタッド２１は、ランセットが発射するときにフック部１８を越えるところまで移動するが、使用者がアーム１７を解放する時間がないほどその運動は迅速であり、かつランセットが前方へ突進するときにフック部をスタッド２１に係合させる。ランセットは、トリガが初期状態に付く前に初期位置へ戻る。
【００２３】
かかる特徴は英国特許出願第０１０３９７７．５号に基づく優先権を主張する同時係属の国際出願の主題を形成する。
【図面の簡単な説明】
【図１】
初期組立時のランセットを備えた本発明によるスキンプリッカのハウジングの１／２を示す概略斜視図である。
【図２】
コックされたランセットを示す概略斜視図である。
【図３】
発射されたランセットを示す概略斜視図である。
【図４】
発射後に再コックされて不動状態のランセットを示す概略斜視図である。
【図５】
コック位置のランセットを備えた開放状態の完全なスキンプリッカを示す概略斜視図である。
【国際公開パンフレット】
2004518498.tif 000003
2004518498.tif 000004
2004518498.tif 000005
2004518498.tif 000006
2004518498.tif 000007
2004518498.tif 000008
2004518498.tif 000009
2004518498.tif 000010
2004518498.tif 000011
2004518498.tif 000012
2004518498.tif 000013
2004518498.tif 000014
2004518498.tif 000015
2004518498.tif 000016
2004518498.tif 000017
【国際調査報告】
2004518498.tif 000018
2004518498.tif 000019